(57)【要約】【課題】家具と天井との隙間を埋めるスペーサとして高度な家具の転倒防止効果を奏するのみならず、設置作業が非常に容易で、家具と天井との間隔に合わせて高さを簡単に調整することができる上、構造がシンプルで安価に製造可能な家具転倒防止器具を提供する。【解決手段】家具転倒防止用器具１は、直方体状に形成された外箱３と、その外箱３の内部に嵌入される中箱２と、外箱３の天井面の内側に固着されており、中箱２の天井面と当接した状態で高さ方向に屈曲可能な高さ調整体８と、高さ調整体８を所定の屈曲状態で保持するための保持手段４とによって構成されている。【選択図】図３
2007143641.tif 000002
【特許請求の範囲】
【請求項１】
家具の転倒を防止するために家具と家屋の天井との間に設置される家具転倒防止用器具であって、
直方体状に形成された外箱と、
その外箱の内部に嵌入される中箱と、
外箱の天井面の内側に固着されており、中箱の天井面と当接した状態で高さ方向に屈曲可能な高さ調整体と、
高さ調整体を所定の屈曲状態で保持するための保持手段とからなることを特徴とする家具転倒防止用器具。
【請求項２】
高さ調整体が、中箱の天井面と当接する当接部の前後両端に、外箱の周壁側から内側へ屈曲可能な屈曲部を設けたものであることを特徴とする請求項１に記載の家具転倒防止用器具。
【請求項３】
保持手段が、屈曲部の屈曲頂点と外箱の周壁との距離を一定に保つことによって、屈曲部を所定の屈曲状態で保持するものであることを特徴とする請求項２に記載の家具転倒防止用器具。
【請求項４】
保持手段が、屈曲部の屈曲頂点と外箱の周壁との距離を調整自在なヒモ部材であることを特徴とする請求項２、または請求項３に記載の家具転倒防止用器具。
【発明の詳細な説明】
【技術分野】
【０００１】
本発明は、地震の際にタンスや本棚等の家具が転倒するのを防止する家具転倒防止用の器具に関するものである。
【背景技術】
【０００２】
家具と天井との間に大きな間隙が存在すると、大きな地震があった場合に、家具が転倒してしまう虞れがある。そのように家具が転倒する事態を防止すべく、特許文献１の如く、長さ調整可能な一対の支承立直棒体を水平架設棒体で連結した家具転倒防止具が知られている。かかる家具転倒防止具は、各支承立直棒体の下端を家具に固定し、各支承立直棒体の上端を天井に固定することにより、地震の際に天井と家具との間の相対的な変位を抑制することにより、家具の転倒を防止するものである。
【０００３】
【特許文献１】特開平０８−２１４９６９号公報
【発明の開示】
【発明が解決しようとする課題】
【０００４】
しかしながら、上記した特許文献１の如き家具転倒防止用具は、家具の転倒を防止する効果は奏し得るものの、家具と天井との隙間に設置する際に、家具と天井との距離や家具の幅に合わせて、各支承立直棒体の長さを別々に調整しなければならず、設置作業に非常に手間がかかる。また、各支承立直棒体が、大径の基パイプ内で小径のスライドパイプを固定することによって長さを調節する構造であるため、家具と天井との隙間が狭い場合には、構造的に適用し難い。その上、全体的に構造が複雑であるため、製造コストが高い、という不具合もある。
【０００５】
本発明の目的は、上記した従来の家具転倒防止具の有する問題点を解消し、家具と天井との間のスペーサとして高度な家具転倒防止効果を奏するのみならず、設置作業が非常に容易で、家具と天井との間隔に合わせて高さを簡単に調整することができる上、構造がシンプルで安価に製造可能な家具転倒防止器具を提供することにある。
【課題を解決するための手段】
【０００６】
かかる本発明の内、請求項１に記載された発明の構成は、家具の転倒を防止するために家具と家屋の天井との間に設置される家具転倒防止用器具であって、直方体状に形成された外箱と、その外箱の内部に嵌入される中箱と、外箱の天井面の内側に固着されており、中箱の天井面と当接した状態で高さ方向に屈曲可能な高さ調整体と、高さ調整体を所定の屈曲状態で保持するための保持手段とからなることにある。なお、本発明でいう直方体状とは、幅、奥行き、高さの何れか一つが異なる形状に限定されるものではなく、幅、奥行き、高さとも等しい立方体をも含む。
【０００７】
請求項２に記載された発明の構成は、請求項１に記載された発明において、高さ調整体が、中箱の天井面と当接する当接部の前後両端に、外箱の周壁側から内側へ屈曲可能な屈曲部を設けたものであることにある。
【０００８】
請求項３に記載された発明の構成は、請求項２に記載された発明において、保持手段が、屈曲部の屈曲頂点と外箱の周壁との距離を一定に保つことによって、屈曲部を所定の屈曲状態で保持するものであることにある。
【０００９】
請求項４に記載された発明の構成は、請求項２、または請求項３に記載された発明において、保持手段が、屈曲部の屈曲頂点と外箱の周壁との距離を調整自在なヒモ部材であることにある。
【発明の効果】
【００１０】
請求項１に記載された家具転倒防止用器具は、家具の上に載置して、保持手段によって高さ調整体を所定の屈曲状態で保持するだけで設置することができるので、設置作業が非常に容易である。加えて、設置された家具転倒防止用器具は、地震の際には、所定の屈曲状態で保持された高さ調整体が家具と天井との隙間を埋めるスペーサとして機能し、天井と家具との相対的な変位を抑制するため、家具の転倒を効果的に防止することができる。また、請求項１に記載された家具転倒防止用器具は、構造がシンプルで安価に製造することができる。
【００１１】
請求項２に記載された家具転倒防止用器具は、高さ調整体の当接部が中箱の天井面と当接した状態で、前後一対の屈曲部が所定の屈曲状態で保持されて外箱を支承するため、家具の上に載置された場合に、外箱の上面が傾いたりしないので、家具転倒防止機能の精度が高い。
【００１２】
請求項３に記載された家具転倒防止用器具は、保持手段によって高さ調整体の屈曲部が所定の屈曲状態で確実に保持されるので、家具転倒防止機能の精度が非常に高い。
【００１３】
請求項４に記載された家具転倒防止用器具は、保持手段によって、高さ調整体の屈曲部の屈曲頂点と外箱の周壁との距離を調整し、屈曲部の屈曲状態を調整することができるので、家具と天井との間隔に応じて、非常に容易に高さを変更することができる。
【発明を実施するための最良の形態】
【００１４】
図１〜図３は、本発明に係る家具転倒防止用器具を示したものであり、家具転倒防止用器具１は、中箱２、高さ調整体８を固着した外箱３、および保持手段４から構成されている。図４は、中箱２および外箱３を示したものであり、中箱２は、厚さが約５．０ｍｍの段ボールを所定の位置で折り曲げて適宜接着等することによって、所定の大きさ（幅×奥行き×高さ＝３８５ｍｍ×３２０ｍｍ×３０５ｍｍ）を有する扁平な直方体の箱状に形成されている。
【００１５】
一方、外箱３は、厚さが約５．０ｍｍの段ボールを所定の位置で折り曲げて適宜接着等することによって、底面を開口した扁平な直方体の蓋状に形成されており、幅、奥行き、高さとも、中箱より一回り大きくなっている（幅×奥行き×高さ＝３９０ｍｍ×３２５ｍｍ×３１０ｍｍ）。また、外箱３の前後の両面（正面および背面）には、それぞれ、上挿通孔５、中挿通孔６、下挿通孔７が上下一列に穿設されている。そして、外箱３の天井面の内側には、組み合わされた中箱２と外箱３との間隔を一定に維持することによって、家具転倒防止用器具１の高さを一定に保つための高さ調整体８が取り付けられている。
【００１６】
図５は、高さ調整体８を示したものであり、高さ調整体８は、厚さが約５．０ｍｍの段ボールを所定の位置で折り曲げることによって形成されている。そして、開口９を設けた長方形状の当接部１０の前後の両端に、それぞれ、帯状の屈曲部１１が延設されており、内側へ折返された状態になっている。そして、各屈曲部１１，１１と当接部１０との境界の折曲線の中央には、第一挿通孔１２が穿設されている。また、各屈曲部１１，１１は、いずれも基端から同じ長さの位置で、内側へ凸になるように水平に折り曲げられている。そして、それらの折曲線の中央には、第二挿通孔１３が穿設されている。さらに、各屈曲部１１，１１の先端には、外箱３に固定するための固着片１７が設けられており、内側へ折り返された状態になっている。また、当接部１０の左右両側には、帯状の補強片１４，１４が延設されており、内側へ折り返された状態になっている。かかる高さ調整体８は、固着片１７，１７を両面テープ等を用いて外箱３の天井面の内側の前後両端際に接着することによって、外箱３と一体になっている。
【００１７】
一方、図６は、保持手段４を示したものであり、保持手段４は、合成樹脂製の長尺な帯状のヒモ体１５の基端に、２つのリング体１６，１６を固着することによって形成されている。かかる保持手段４は、外箱３の前後両面（正面および背面）において、ヒモ体１５の先端側が、外箱３の下挿通孔７を挿通して内部に導かれ、高さ調整体８の第一挿通孔１２、第二挿通孔１３を挿通し、外箱３の中挿通孔６を挿通することによって外部に導かれている。そして、外部に導かれたヒモ体１５の先端が、２つの内側のリング体１６，１６内を外箱３側から通過し、折り返された後に、内側のリング体１６のみを通過して上方へ導かれることによって締着されている。なお、ヒモ体１５の先端際の部分は、上挿通孔５から、再度、内部へ導かれた状態になっている。このように、ヒモ体１５の先端際の部分が内部に導かれることによって、家具転倒防止用器具の外観が良好なものとなっている。
【００１８】
そして、上記の如く高さ調整体８と一体となった外箱３の内部に、中箱２の上側部分を嵌入させることによって、外箱３と中箱２とが一体になっており、中箱２の天井面と外箱３に固着された高さ調整体８の当接部１０の下面とが当接した状態になっている。そのように、外箱３と中箱２とが組み付けられた状態においては、下挿通孔７、第一挿通孔１２、第二挿通孔１３、中挿通孔６を挿通した各ヒモ体１５，１５がループを形成した状態で締着されており、高さ調整体８の各屈曲部１１，１１の屈曲頂点（折曲線の中央の第二挿通孔１３の穿設部分）と外箱３の周壁（正面および背面）との距離（図７におけるＬ）が一定に保たれている。それゆえ、各屈曲部１１，１１がその屈曲状態で保持され、それ以上屈曲しない（各屈曲部１１，１１と外箱３の周壁とのなす角が大きくならない）ため、高さ調整体８の固着片１７，１７と当接部１０とが所定の間隔で保持され、外箱３の天井面と中箱２の底面とが所定の間隔で保持される。
【００１９】
上記した家具転倒防止用器具１は、図７の如く、家具Ｆと天井Ｃとの間に設置し、外箱３の天井面と中箱２の底面との間隔が家具Ｆと天井Ｃとの間隔と等しくなるように、保持手段４のヒモ体１５の締着位置を調整する。家具Ｆと天井Ｃとの間隔が広い場合には、図８の如く、高さ調整体８の屈曲部１１，１１の屈曲度合いを小さく抑えるため、高さ調整体８の各屈曲部１１，１１の屈曲頂点と外箱３の周壁との距離（図７におけるＬ）が短くなるように、各保持手段４，４においてリング体１６，１６と締着するヒモ体１５の位置を調整する（ヒモ体１５のより基端側でリング体１６，１６と締着するように調整する）。一方、家具Ｆと天井Ｃとの間隔が狭い場合には、図９の如く、高さ調整体８の屈曲部１１，１１の屈曲度合いを大きくするため、高さ調整体８の各屈曲部１１，１１の屈曲頂点と外箱３の周壁との距離（図７におけるＬ）が長くなるように、架空保持手段４，４においてリング体１６，１６と締着するヒモ体１５の位置を調整する（ヒモ体１５のより先端側でリング体１６，１６と締着するように調整する）。そのように天井Ｃと家具Ｆとの間に設置された家具転倒防止用器具１は、屈曲度合いを規制された高さ調整体８の当接部１０が中箱２を介して家具Ｆの上面と当接した状態で、高さ調整体８の固着片１７，１７が、外箱３の天井面を介して天井Ｃを支承することによって、天井Ｃとの家具Ｆとの相対的な変位を抑制するスペーサとして機能する。
【００２０】
家具転倒防止用器具１は、上記の如く、直方体状に形成された外箱３と、その外箱３の内部に嵌入される中箱２と、外箱３の天井面の内側に固着されており、中箱２の天井面と当接した状態で高さ方向に屈曲可能な高さ調整体８と、高さ調整体８を所定の屈曲状態で保持するための保持手段４とからなるものであるため、家具の上に載置して、保持手段４によって高さ調整体８を所定の屈曲状態で保持するだけで設置することができるので、設置作業が非常に容易である。また、家具転倒防止用器具１は、高さ調整体８が頑強な構造を有する中箱２の上面と当接した状態で、所定の屈曲状態で強固に保持されて外箱３の天井面を介して天井を支承するため、地震の際には、家具と天井との隙間を埋めるスペーサとして機能し、天井と家具との相対的な変位を抑制するので、効果的に家具の転倒を防止することができる。また、家具転倒防止用器具１は、構造がシンプルで安価に製造することができる上、保持手段４を除いた全体が段ボールによって形成されているため、使用した後には回収してリサイクルしたり、消却したりすることができ、地球環境に悪影響を及ぼすことがない。
【００２１】
また、家具転倒防止用器具１は、高さ調整体８が、中箱２の天井面と当接する当接部１０の前後両端に、外箱３の周壁側から内側へ屈曲可能な屈曲部１１を設けたものであり、高さ調整体８の当接部１０が中箱２の天井面と当接した状態で、前後一対の屈曲部１１，１１が所定の屈曲状態で保持されて外箱３を支承するため、家具の上に載置された場合に、外箱３の上面が傾いたりしないので、家具転倒防止機能の精度が高い。
【００２２】
さらに、家具転倒防止用器具１は、各保持手段４，４が、各屈曲部１１，１１の屈曲頂点（折曲線の中央の第二挿通孔１３の穿設部分）と外箱３の周壁との距離（図７におけるＬ）を一定に保つことによって、各屈曲部１１，１１を所定の屈曲状態で保持するものであるため、各屈曲部１１，１１が所定の屈曲状態で確実に保持されるので、家具転倒防止機能の精度が非常に高い。
【００２３】
加えて、家具転倒防止用器具１は、各保持手段４，４が、各屈曲部１１，１１の屈曲頂点と外箱３の周壁との距離を調整自在なヒモ部材１５，１５であるため、各保持手段４，４によって各屈曲部１１，１１の屈曲頂点と外箱３の周壁との距離（図７におけるＬ）を調整し、各屈曲部１１，１１の屈曲状態を調整することができるので、家具と天井との間隔に応じて、非常に容易に高さを変更することができる。
【００２４】
さらに、家具転倒防止用器具１は、高さ調整体８の当接部１０の左右に補強片１４，１４が設けられており、中箱２の天井面と当接する当接部１０が折れ曲がったりしないので、圧壊しにくいため、家具転倒防止機能の精度がきわめて高い。
【００２５】
さらに、家具転倒防止用器具１は、高さ調整体８の当接部１０の中央に開口９が設けられているため、震災が発生した場合等の非常時には、外箱３の開口部分の上に当接部１０を載置し、各屈曲部１１，１１を外箱３の前後に垂らした状態で、外箱３の内部にビニール袋等を設置することによって、簡易式のトイレとして利用することも可能である。
【００２６】
なお、本発明の家具転倒防止用器具の構成は、上記実施形態の態様に何ら限定されるものではなく、中箱、外箱、高さ調整体、保持手段の形状・構造等の構成を、本発明の趣旨を逸脱しない範囲で、必要に応じて適宜変更することができる。
【００２７】
たとえば、本発明の家具転倒防止用器具は、中箱、外箱、高さ調整体を段ボールによって形成したものに限定されず、必要に応じて、中箱、外箱、高さ調整体の材質をプラスチックや金属に変更することができる。
【００２８】
また、家具転倒防止用器具は、家具の上に直接的に設置するものに限定されず、家具の上に設置された箱材（段ボール箱等）等の上に設置するものに変更することも可能である。加えて、外箱の天井面や中箱の底面に摩擦力の大きな板状のスポンジ材等（発泡スチロールや発泡ウレタン等からなるもの）を介在させることによって、家具の転倒防止機能を一段と精度の高いものとすることも可能である。
【００２９】
さらに、家具転倒防止用器具は、高さ調整体の当接部の前後に屈曲部を設けるとともに、それらの屈曲部の屈曲状態を保持する２つの保持手段を設けたものに限定されず、当接部の前後いずれか一方に屈曲部を設けるとともに、その屈曲部の屈曲状態を保持する保持手段を一つのみ設けたものや、高さ調整体の当接部の前後左右の四箇所に屈曲部を設けるとともに、それらの屈曲部の屈曲状態を保持する４つの保持手段を設けたもの等に変更することも可能である。
【００３０】
加えて、家具転倒防止用器具は、上記実施形態の如く、外箱、中箱とも直方体状に形成されたものに限定されず、外箱や中箱が扁平な六角柱状や八角柱状に形成されたものに変更することも可能である。なお、上記実施形態の如く、外箱、中箱とも直方体状に形成した場合には、構造がシンプルであるにも拘わらず、きわめて圧壊しにくいものとなる、というメリットがある。また、中箱を開閉可能に設計して、内部に各種の防災グッズ等を収納できるようにすることも可能である。さらに、中箱や外箱の外周に各種の彩色施すことも可能である。
【産業上の利用可能性】
【００３１】
本発明の家具転倒防止用器具は、上記の如く優れた効果を奏するものであるので、タンスや戸棚等の家具の転倒を防止するための器材として、好適に用いることができる。
【図面の簡単な説明】
【００３２】
【図１】家具転倒防止用器具の正面図である。
【図２】家具転倒防止用器具の斜視図である。
【図３】家具転倒防止用器具の内部を透視した状態を示す斜視図である。
【図４】外箱および中箱を示す斜視図である。
【図５】高さ調整体を示す説明図である（（ａ）は設置状態の斜視図であり、（ｂ）は展開図である）
【図６】保持手段の平面図である。
【図７】家具転倒防止用器具の使用状態を示す説明図（図１におけるＡ−Ａ断面図）である。
【図８】家具転倒防止用器具の使用状態を示す説明図（図１におけるＡ−Ａ断面図）である。
【図９】家具転倒防止用器具の使用状態を示す説明図（図１におけるＡ−Ａ断面図）である。
【符号の説明】
【００３３】
１・・家具転倒防止用器具、２・・中箱、３・・外箱、４・・保持手段、８・・高さ調整体、１０・・当接部、１１・・屈曲部、Ｃ・・天井、Ｆ・・家具。
【図１】
2007143641.tif 000003
【図２】
2007143641.tif 000004
【図３】
2007143641.tif 000005
【図４】
2007143641.tif 000006
【図５】
2007143641.tif 000007
【図６】
2007143641.tif 000008
【図７】
2007143641.tif 000009
【図８】
2007143641.tif 000010
【図９】
2007143641.tif 000011